(57)【要約】【課題】屋外の庭園や温室等で撒水する園芸用に最適なじょうろとする。【解決手段】水を貯留するための中空の胴部分１の上方に水を注ぐための開口６を設けたじょうろにおいて、開口に異物の侵入を阻止するための漉し網８を設けると共に、この開口内にホースＨの先端を挿入可能な差し込み口１０を設ける。【選択図】　　　図２
2004000038.tif 000002
【特許請求の範囲】
【請求項１】
水を貯留するための中空の胴部分の上方に水を注ぐための開口を設けたじょうろにおいて、開口に異物の侵入を阻止するための漉し網を設けると共に、この開口内にホースの先端を挿入可能な差し込み口を設けたことを特長とする園芸用じょうろ。
【請求項２】
胴部分の前後に肩掛け紐を挿通可能な孔を設けた請求項１記載の園芸用じょうろ。
【発明の詳細な説明】
【０００１】
【発明の属する技術分野】
この発明は植物に水を注ぎかけるためのじょうろに関し、より詳細には庭園や温室などで使用するのに最適な園芸用じょうろ関する。
【０００２】
【従来の技術】
植物に撒水するためのじょうろとして、シャワー型のノズルヘッドを設けたステムを突設した中空の胴部分の上方に開口を設け、この開口から水を胴部分内に注ぐことにより貯留するものが公知であり、このじょうろは植物の花や葉部分に水を注ぐために使用されていた。
【０００３】
【発明が解決しようとする課題】
ところで、じょうろは室内で鉢植えなどに撒水する他に、屋外の庭園や温室等で撒水する園芸用に使用されることが多い。この場合、室内と異なり屋外では落ち葉や枯れ木、或いは泥などの異物がじょうろに落下することがあり、これらの異物が前記のじょうろの水を注ぐための開口から本体内に侵入してノズルの目詰まりを生じさせやすかった。
【０００４】
又、水道の蛇口が手近にある室内の場合と異なり屋外では蛇口は一箇所にしかなく、この場合、長尺のホースを使用して注ぎ口を手元まで延長することが一般的である。そのため、じょうろに水を注ぎ入れる場合もこのホースを使用せざるを得ないが、可撓性のホースは水圧により移動しやすく、水を注ぎ終わるまでホース端を手で把持しなければならない不便さがあった。
【０００５】
【課題を解決するための手段】
この発明は以上の従来技術の問題点に鑑みて創作されたものであり、水を貯留するための中空の胴部分の上方に水を注ぐための開口を設けたじょうろにおいて、開口に異物の侵入を阻止するための漉し網を設けると共に、この漉し網の上部にホースの先端を挿入可能な差し込み口を設けたことを特長とする。
【０００６】
【発明の実施の形態】
以下、この発明の具体的実施例を添付図面に基づいて説明する。図１乃至図６はこの発明のじょうろの第１実施例を示す図であり、図中符号１は胴部分を指す。この胴部分１は中空状にして、前方にはステム２が設けられ、このステムの先端には多数の細孔を有するシャワー部材３が外嵌される。この実施例においてはステム２は胴部分１と別部材でなくと一体に設けられる。そのための手段としてここではプラスチックによりこれらを一体成形している。この場合、素材としては例えばポリプロピレンが挙げられるが、これ以外の素材であってもよいことは勿論である。又、成形方法としては射出成形やブロー成形が挙げられる。
【０００７】
胴部分の上方には水を注ぐための開口６が設けられ、この開口には異物の侵入を阻止するための漉し網８が設けられる。この実施例においては、漉し網８は多数の長孔の集合により構成されるものであり、ここでは胴部分１の成型時に胴部分と一体に成型される。又、この実施例においては開口６の周縁に環状の立ち上がり壁７を設けることにより、開口に注いだ水が周囲に流出することを防止している。この発明においては開口６には漉し網８が施されるので、漉し網による通水抵抗により一気に水を注いだ場合に、本体内に水が直ちに落下しないで周囲に溢れ出ようとするが、上記の立ち上がり壁７により溢れた水は漉し網から落下するまで囲い込まれることになる。
【０００８】
図中符号１０はホースＨの先端が挿入可能な差し込み口であり、前記の開口内にして漉し網８の上下にホースが嵌入状態で挿入可能な内径を有する筒体９を突設することにより構成される。尚、この筒体９（差し込み口１０）の下方にも漉し網１１が設けられる（図５及び６参照）。
【０００９】
図中符号４及び５はじょうろのハンドルであり、一方のハンドル４はじょうろの胴部分１の背部下方と前記の開口６の周縁の環状の立ち上がり壁７背部に架け渡されるようにこれらと一体に成型され、他方のハンドル５はじょうろの胴部分の上部前方と上記立ち上がり壁７前部に架け渡されるようにこれらと一体に成型される。立ち上がり壁７は水の溢れ出しを防止することを一次的な目的とするが、それが環状であることより胴部分１の上部付近に対して十分な剛性を与える作用も生じ、前記のハンドル４及び５の一端がこの立ち上がり壁により支持されることにより、ハンドルを持って満水状態のじょうろを把持した場合でもその重量に対し十分な強度を保つことが可能となる。
【００１０】
次に図７及び８はこの発明のじょうろの第２実施例を示す図である。第２実施例のじょうろの基本構成は前記第１実施例の場合と同様である。即ち、中空状の胴部分２１の前方には先端にシャワー部材２３が外嵌されるステム２２が設けられ、この胴部分の上方に設けた開口２６には異物の侵入を阻止するための漉し網２８が設けられ、開口内にして漉し網２８の上下には下方に漉し網３１を有する筒体２９を突設することによりホースＨの先端が挿入可能な差し込み口３０が設けられる。
【００１１】
一方、開口２６の周縁には環状の立ち上がり壁２７が設けられ、じょうろの胴部分１１の背部下方とこの立ち上がり壁２７背部間にハンドル２４が架け渡されると共に、胴部分の上部前方と立ち上がり壁２７前部間にハンドル２５が架け渡される。前記ハンドル２４の上方及びハンドル２５の前方には、図示しない肩掛け紐を挿通可能な孔３２及び３３がそれぞれ設けられ、これが第２実施例の特長部分となる。
【００１２】
【発明の効果】
以上の構成よりなるこの発明のじょうろによれば、水を注ぐための開口に異物の侵入を阻止するための漉し網が設けられているので、落ち葉、枯れ木、泥などの異物がじょうろに落下してノズルの目詰まりを生じさせることが防止され、じょうろを庭園や温室などの野外で安心して使用することが可能となる。一方、開口にはホースの先端を挿入可能な差し込み口が設けられているので、水道の蛇口が手近になくホースを介して水を注ぐ場面が多い野外での使用においても給水に際し一々ホースを押さえておく手間が不要となる。
【００１３】
一方、第２実施例のじょうろにおいては胴部分の前後に肩掛け紐を挿通可能な孔が設けられるので、満水時の重量が嵩む大容量のじょうろとしても肩掛けにして持ち運ぶことにより使用者の負担が軽減されるので、一回の給水で大きな面積の撒水が可能となり、前記の効果と相まって野外での使用に最適な園芸用のじょうろが実現される。
【図面の簡単な説明】
【図１】この発明のじょうろの第１実施例の斜視図。
【図２】同上、ホースを差し込んだ状態の斜視図。
【図３】同上、平面図。
【図４】同上、側面図。
【図５】同上、断面図。
【図６】同上、断面図。
【図７】この発明のじょうろの第２実施例の側面図。
【図８】この発明のじょうろの第２実施例の平面図。
【符号の説明】
１　　　胴部分
６　　　開口
８　　　漉し網
１０　　差し込み口
Ｈ　　　ホース
【図１】
2004000038.tif 000003
【図２】
2004000038.tif 000004
【図３】
2004000038.tif 000005
【図４】
2004000038.tif 000006
【図５】
2004000038.tif 000007
【図６】
2004000038.tif 000008
【図７】
2004000038.tif 000009
【図８】
2004000038.tif 000010